(57)【要約】      （修正有）【課題】接続金具の取付強度を低下させることなく、ホース性能を向上することができるホースを提供する。【解決手段】内面ゴム層と外面ゴム層との間に、金属ワイヤ又は有機繊維からなるコードを編み組みしてなる補強層を、中間ゴム層を介して複数積層したホースにおいて、前記複数の補強層のうち最外側の補強層を、互いに逆回りになるように螺旋状に巻き付けた２組の前記コードを、一方の組のコードのそれぞれが、他方の組のコードのそれぞれと２つおきに上下に重なるように編み組みした編組から構成すると共に、該最外側の補強層よりも内側の補強層を、互いに逆回りになるように巻き付けた２組の前記コードを、一方の組のコードのそれぞれが他方の組のコードのそれぞれと３つおきに上下に重なるように編み組みした編組から構成する。【選択図】図１
2011133063.tif 000002
【特許請求の範囲】
【請求項１】
内面ゴム層と外面ゴム層との間に、金属ワイヤ又は有機繊維からなるコードを編み組みしてなる補強層を、中間ゴム層を介して複数積層したホースにおいて、
前記複数の補強層のうち最外側の補強層を、互いに逆回りになるように螺旋状に巻き付けた２組の前記コードを、一方の組のコードのそれぞれが、他方の組のコードのそれぞれと２つおきに上下に重なるように編み組みした編組から構成すると共に、該最外側の補強層よりも内側の補強層を、互いに逆回りになるように巻き付けた２組の前記コードを、一方の組のコードのそれぞれが他方の組のコードのそれぞれと３つおきに上下に重なるように編み組みした編組から構成したホース。
【請求項２】
前記金属ワイヤがスチールワイヤである請求項１に記載のホース。
【請求項３】
前記有機繊維が芳香族ポリアミド繊維である請求項１に記載のホース。
【請求項４】
建設機械用の油圧ホースである請求項１〜３のいずれかに記載のホース。
【発明の詳細な説明】
【技術分野】
【０００１】
本発明はホースに関し、更に詳しくは、接続金具の取付強度を低下させることなく、ホース性能を向上することができるホースに関する。
【背景技術】
【０００２】
従来から、建設機械の油圧ホースなどに用いられる耐圧性のゴムホースとして、内面ゴム層と外面ゴム層との間に、中間ゴム層を介して複数の補強層を積層した構造のホースが用いられている。この補強層には、スチールワイヤや有機繊維からなるコードをブレード状に編み込んだ編組が用いられるが、例えば特許文献１に示すように、その編組のほとんどは、互いに逆回りになるように螺旋状に巻き付けた２組のコードを、一方の組のコードのそれぞれが、他方の組のコードのそれぞれと２つおきに上下に重なるように編み組みした構造、いわゆる2-over-2 構造を有していた。
【０００３】
しかし近年では、編組機の性能の向上により、２組のコードを、従来のように２つおきではなく、３つおきに上下に重なるように編み組みした構造、いわゆる3-over-3 構造の編組が用いられるようになってきている。この3-over-3 構造の編組を補強層に用いたホースは、従来のホースに比べて、耐久性、耐ピンホール性及び柔軟性などのホース性能に優れることが知られている。しかし、3-over-3 構造の編組は、2-over-2 構造の編組よりも表面が平坦になるため、補強層をかしめるようにしてホース端部に取り付ける接続金具の取付強度が低くなるという問題があった。
【先行技術文献】
【特許文献】
【０００４】
【特許文献１】特開平６−１５９５５９号公報
【発明の概要】
【発明が解決しようとする課題】
【０００５】
本発明の目的は、接続金具の取付強度を低下させることなく、ホース性能を向上することができるホースを提供することにある。
【課題を解決するための手段】
【０００６】
上記の目的を達成する本発明のホースは、内面ゴム層と外面ゴム層との間に、金属ワイヤ又は有機繊維からなるコードを編み組みしてなる補強層を、中間ゴム層を介して複数積層したホースにおいて、前記複数の補強層のうち最外側の補強層を、互いに逆回りになるように螺旋状に巻き付けた２組の前記コードを、一方の組のコードのそれぞれが、他方の組のコードのそれぞれと２つおきに上下に重なるように編み組みした編組から構成すると共に、該最外側の補強層よりも内側の補強層を、互いに逆回りになるように巻き付けた２組の前記コードを、一方の組のコードのそれぞれが他方の組のコードのそれぞれと３つおきに上下に重なるように編み組みした編組から構成したことを特徴とするものである。
【発明の効果】
【０００７】
本発明のホースによれば、最外側の補強層をいわゆる2-over-2 構造の編組から構成するようにしたので、最外側の補強層をかしめるようにして取り付ける接続金具の引き抜き抵抗を大きくすることができるため、取付強度が低下することはない。また、その最外側の補強層よりも内側の補強層をいわゆる3-over-3 構造の編組から構成するようにしたので、耐久性、耐ピンホール性及び柔軟性などのホース性能を向上することができる。
【図面の簡単な説明】
【０００８】
【図１】本発明の実施形態からなるホースの構造を示す一部切欠した斜視図である。
【図２】いわゆる2-over-2 構造の編組の構造を示す平面図である。
【図３】いわゆる3-over-3 構造の編組の構造を示す平面図である。
【発明を実施するための形態】
【０００９】
以下に、本発明の実施の形態について、図面を参照して説明する。
【００１０】
図１は、本発明の実施形態からなるホースを示す。
【００１１】
このホースは、内面ゴム層１と外面ゴム層２との間に、２つの補強層３、４を中間ゴム層５を介して積層したものである。２つの補強層３、４は、金属ワイヤ又は有機繊維からなるコードを編み組みした編組から構成されている。金属ワイヤとしてはスチールワイヤが、有機繊維としては芳香族ポリアミド繊維が、ぞれぞれ望ましく用いられる。
【００１２】
このようなホースにおいて、外側の補強層３の編組はいわゆる2-over-2 構造となっている一方で、内側の補強層４の編組はいわゆる3-over-3 構造となっている。
【００１３】
2-over-2 構造の編組７とは、図２に示すように、互いに逆回りになるよう螺旋状に巻き付けられた２組のコードのうち、一方の組のコード６ａが、他方の組のコード６ｂと２つおきに上下に重なるように編み組みしたものである。
【００１４】
また、3-over-3 構造の編組８とは、図３に示すように、互いに逆回りになるよう螺旋状に巻き付けられた２組のコードのうち、一方の組のコード６ａのそれぞれが、他方の組のコード６ｂのそれぞれと３つおきに上下に重なるように編み組みしたものである。
【００１５】
このように、外側の補強層３を、2-over-2 構造の編組７から構成するようにしたことにより、2-over-2 構造の編組７は表面の凹凸が比較的大きいため、外側の補強層３をかしめるようにして取り付ける接続金具の引き抜き抵抗が大きくなるので、その取付強度が低下することはない。また、内側の補強層４を、耐久性、耐ピンホール性及び柔軟性などに優れる3-over-3 構造の編組８から構成するようにしたので、ホース性能を向上することができる。
【００１６】
なお、ホースの耐久性及び耐ピンホール性とは、ＪＩＳ  Ｋ  ６３３０−８：１９９８に規定する衝撃圧力試験により評価される性能である。また、ホースの柔軟性とは、ＪＩＳ  Ｋ  ６３３０−９：１９９８に規定する曲げ力試験により評価される性能である。
【００１７】
接続金具の取付強度は、ＪＩＳ  Ｋ  ６３３０−２：１９９８に規定する耐圧性試験により評価することができる。
【００１８】
上記の実施形態においては、ホースの補強層が２つの場合を例示したが、補強層は３層以上でもよく、その場合には最外側の補強層を2-over-2 構造の編組から構成する一方で、その最外側の補強層よりも内側に位置する全ての補強層を3-over-3 構造の編組から構成する。
【００１９】
本発明のホースの用途は特に限定するものではないが、パワーシャベルやブルドーザーなどの建設機械の動力伝達に用いられる油圧ホースに好適に用いることができる。
【符号の説明】
【００２０】
１  内面ゴム層
２  外面ゴム層
３  外側補強層
４  内側補強層
５  中間ゴム層
６ａ、６ｂ  コード
７  2-over-2 構造の編組
８  3-over-3 構造の編組
【図１】
2011133063.tif 000003
【図２】
2011133063.tif 000004
【図３】
2011133063.tif 000005